(57)【要約】【課題】外径の異なる底面板を有する複数種類の前記感知器本体を着脱することができ、かつ、感知器着との係合が容易で、着脱作業時に十分な伝達トルクを生じることができ、作業時に落下しにくい感知器着脱工具を提供する。【解決手段】棒体の先端に開口部を有する弾性体の支持体を備え、天井にベース部を介して固着される感知器本体の下端に具備された底面板を前記開口部に嵌入することにより、感知器本体を着脱する感知器着脱工具において、前記開口部の内周面に前記底面板と係合する複数の係合段を設け、前記係合段は前記開口部の嵌入方向に対して手前側に径が大きい底面板と係合する係合段を設け、各々の係合段の側面の対向位置に前記底面板の外周端面に圧接する圧接部を突設し、前記圧接部の間の前記係合段の側面に前記底面板の外周上側に引っ掛ける係止部を突設し、前記圧接部で前記底面板の外周端面を挟持することにより、前記感知器本体を着脱する。【選択図】  図１
2004272389.tif 000002
【特許請求の範囲】
【請求項１】
棒体と、棒体の先端に略円柱形の開口部を有する弾性体の支持体を備え、天井にベース部を介して固着される感知器本体の下端に具備された略円形の底面板を前記開口部に嵌入して回動することにより、感知器本体を着脱する感知器着脱工具において、前記開口部の内周面に前記底面板と係合する複数の係合段を設け、前記係合段は前記開口部の嵌入方向に対して手前側に径が大きい底面板と係合する係合段を設け、各々の係合段の側面の対向位置に前記底面板の外周端面に圧接する圧接部を突設し、前記圧接部の間の前記係合段の側面に前記底面板の外周上側に引っ掛ける係止部を突設し、前記圧接部で前記底面板の外周端面を挟持することにより、前記感知器本体を着脱するものであることを特徴とする感知器着脱工具。
【請求項２】
前記支持体の上側周辺部に半径方向に対して溝又は切込みを設けることにより前記上側周辺部を周方向に分割して分割周辺部を形成し、前記分割周辺部の各々の係合段の側面に圧接部又は係止部を設けてなることを特徴とする請求項１記載の感知器着脱工具。
【請求項３】
前記分割周辺部について各々の係合段の側面には圧接部又は係止部のいずれかのみを設けてなることを特徴とする請求項２記載の感知器着脱工具。
【請求項４】
前記係合段が２段であって、上方係合段の側面に圧接部を設けた分割周辺部の下方係合段の側面には係止部を設けてなり、上方係合段の側面に係止部を設けた分割周辺部の下方係合段の側面には圧接部を設けてなることを特徴とする請求項３記載の感知器着脱工具。
【発明の詳細な説明】
【０００１】
【発明の属する技術分野】
本発明は、天井に固着する感知器本体の取り付け・取り外しを行うための感知器着脱工具に関するものである。
【０００２】
【従来の技術】
天井に取り付けられて熱や煙等をセンシングする感知器に関して、この感知器の外部カバーや感知器本体を着脱する感知器着脱工具の構造は、実開平３−０３０１９５号公報や特開平８−３３９４８６号公報に開示されている。これらの感知器着脱工具は、棒体の先端にゴム又は軟質樹脂製で開口部を有する支持体が取り付けられている構造をしている。作業者は、感知器の下部に立って棒体を握り、感知器本体に支持部の開口部を嵌入し、棒体を回動することで、感知器本体又は外部カバーの着脱を行うものである。
【０００３】
実開平３−０３０１９５号公報に開示されている感知器用の外部カバー着脱工具を図９に示す。図９（ａ）は感知器の側面図で、図９（ｂ）は外部カバー着脱工具の斜視図である。この外部カバー着脱工具は、支持部１２の開口部１３の内周面に弧状係合爪６１と係合用の係合溝６２を有している。このものは、係合溝溝６２が感知器着用カバーの縦枠材（リブ）３４に嵌合することで、棒体の回動のトルクを伝達している。また、弧状係合爪６１が底面板（鍔部）３３を嵌合係止することで、この外部カバー着脱工具の落下防止の機能を果たしている。また、この外部カバー着脱工具の開口部１３には、複数の係合段が形成されているので、複数の種類の外部カバーに対応することができるようになっている。
【０００４】
また、特開平８−３３９４８６号公報に開示されている感知器着脱工具の構造を図１０に示す。図１０（ａ）は感知器のベース部、感知器本体、感知器着脱工具の側面図で、図１０（ｂ）は感知器本体のＸ−Ｘ面の断面図で、図１０（ｃ）は感知器着脱工具のＹ−Ｙ面の断面図である。このものは、感知器本体３２及び感知器着脱工具の開口部１３を非円形としたものである。開口部１３を、感知器本体３２に嵌入させて棒体１１を回動させれば、空回りすることなく、トルクが伝達して、感知器本体３２をベース部３１に着脱させることができる。
【０００５】
【特許文献１】
実開平３−０３０１９５号公報（第６−９頁、図７、８）
【０００６】
【特許文献２】
特開平８−３３９４８６号公報（第４−５頁、図１）
【０００７】
【発明が解決しようとする課題】
前述の図９に示した感知器用の外部カバー着脱工具では、確実に落下防止させるために、弧状係合爪６１の形状を大きくすると、底面板３３を嵌合係止させるときの抵抗が大きくなっていた。逆に、底面板３３を容易に嵌合係止にするために、弧状係合爪６１の形状を小さくすると、作業者が手を離した時に、外部カバー着脱工具のバランスがよくないと、落下するおそれが大きくなっていた。
【０００８】
また、図１０に示した感知器着脱工具では、支持体１２の断面形状が大きい場合には、支持体１２と感知器本体３２との間の摩擦力が弱くなり、棒体を回動しても、空回りするおそれがあった。また、逆に、支持体１２の断面形状が小さい場合には、支持体１２を感知器本体３２に嵌入させるときの抵抗が大きくなっていた。
【０００９】
本発明は、かかる事由に鑑みてなしたもので、その目的とするところは、外径の異なる底面板を有する複数種類の前記感知器本体を着脱することができ、かつ、感知器着との係合が容易で、着脱作業時に十分な伝達トルクを生じることができ、作業時に落下しにくい感知器着脱工具を提供することにある。
【００１０】
【課題を解決するための手段】
請求項１に係る発明の感知器着脱工具は、棒体と、棒体の先端に略円柱形の開口部を有する弾性体の支持体を備え、天井にベース部を介して固着される感知器本体の下端に具備された略円形の底面板を前記開口部に嵌入して回動することにより、感知器本体を着脱する感知器着脱工具において、前記開口部の内周面に前記底面板と係合する複数の係合段を設け、前記係合段は前記開口部の嵌入方向に対して手前側に径が大きい底面板と係合する係合段を設け、各々の係合段の側面の対向位置に前記底面板の外周端面に圧接する圧接部を突設し、前記圧接部の間の前記係合段の側面に前記底面板の外周上側に引っ掛ける係止部を突設し、前記圧接部で前記底面板の外周端面を挟持することにより、前記感知器本体を着脱するものであることを特徴としている。
【００１１】
請求項２に係る発明の感知器着脱工具は、請求項１の構成において、前記支持体の上側周辺部に半径方向に対して溝又は切込みを設けることにより前記上側周辺部を周方向に分割して分割周辺部を形成し、前記分割周辺部の各々の係合段の側面に圧接部又は係止部を設けてなることを特徴としている。
【００１２】
請求項３に係る発明の感知器着脱工具は、請求項２の構成において、前記分割周辺部について各々の係合段の側面には圧接部又は係止部のいずれかのみを設けてなることを特徴としている。
【００１３】
請求項４に係る発明の感知器着脱工具は、請求項３の構成において前記係合段が２段であって、上方係合段の側面に圧接部を設けた分割周辺部の下方係合段の側面には係止部を設けてなり、上方係合段の側面に係止部を設けた分割周辺部の下方係合段の側面には圧接部を設けてなることを特徴としている。
【００１４】
【発明の実施の形態】
本実施の形態に係る感知器着脱工具を、図１〜８に基づいて説明する。図１は本実施形態の感知器着脱工具の斜視図で、図２は、同じ物の上面図で、図３は同じ物の縦断面図で、図４（ａ）、（ｂ）は圧接部及び係止部の縦断面図の拡大図で、図５は外径の小さい前記底面板と係合した状態を示す縦断面図で、図６は外径の大きい前記底面板と係合した状態を示す縦断面図で、図７は本実施形態の感知器本体の取り付け状態を示す斜視図で、図８は本実施の形態の感知器本体の他の取り付け構造部分を示す斜視図である。
【００１５】
感知器着脱工具１は、図１乃至図４に示すように、硬質樹脂又は木製の棒体１１と弾性変形可能なゴム又は軟質樹脂製の支持体１２とからなっている。支持体１２の上部に略円柱形の開口部１３を有し、この開口部１３の内周面には、上方係合段１４の下方係合段１５の２段の係合段が設けられていて、上方係合段１４の側面の直径は、下方係合段１５の側面の直径よりも大きい。また、支持体１２の上側周辺部に半径方向に対して８個の溝１６ａ〜ｈを設けて、上側周辺部を周方向に等分割することで、８個の分割周辺部１７ａ〜ｈを形成している。また、各々の分割周辺部１７ａ〜ｈの上方係合段１４には圧接部２１と係合部２２が、下方係合段１５の側面には圧接部２３と係合部２４が設けられていて、それぞれの係合段１４、１５には、外径の異なる別々の感知器の底面板が嵌入する構造になっている。ここで、各々の係合段１４、１５には、各々の分割周辺部１７ａ〜ｈについて圧接部２１、２３と係止部２２、２４とが交互に隣接するように設けられている。また、図２の上面図に示すように、各々の分割周辺部１７ａ〜ｈについては、上方係合段１４の側面に圧接部２１を設けた分割周辺部１７ａ、ｃ、ｅ、ｇの下方係合段１５の側面には係止部２２が突設され、上方係合段１４の側面に係止部２３を設けた分割周辺部１７ｂ、ｄ、ｆ、ｈの下方係合段１５の側面には圧接部２４が突設されている。例えば、図４（ａ）に示すＣ−Ｏの断面図のように、分割周辺部１７ａの下方係合段１５の側面には、円弧形状の厚さ約２ｍｍの板で、先端側面が平面視で嵌入する底面板の外周端面よりも僅かに内側に配設されるように係止部２４が形成されている。また、上方係合段１４の側面には、嵌入する底面板の外周端面に外接する圧接部２１が形成されている。ここで、係止部２４の上側外縁部は、面取りがなされている。また、図４（ｂ）に示すＤ−Ｏの断面図のように、分割周辺部１７ａに隣接する分割周辺部１７ｂ、１７ｈには、それぞれ、下方係合段１４の側面には圧接部２３が設けられ、上方係合段１４の側面には係止部２２が突設されている。なお、圧接部２３と係止部２２の形状は、圧接部２１と係止部２４と略同じである。
【００１６】
感知器は、図７に示すように、ベース部３１と感知器本体３２とからなっている。ベース部３１は、ビス等により天井５に固定されるものであり、感知器本体３２はベース部３１に固定されている。両者を固定する構成としては、図７に示すように、ベース部３１の外周面に雄螺子４１を形成し、感知器本体３２の上部の内周面に、雌螺子４２を形成して、両者を螺合する構成がある。他の構成としては、図８に示すように、ベース部３１に支持体１１の取り付け時の回転方向に長孔４３と、この長孔４３の一端にこれよりも大きな挿入孔４４とを併せて穿設したものを複数設け、この挿入孔４４に対応する感知器本体３２の場所に係止金具４５を設け、係止金具４５を挿入孔４４に挿入して、回転させることにより、感知器本体３２をベース部３１に取り付ける構成がある。
【００１７】
感知器本体３２の内部には、熱や煙をセンシングするセンサー（図示せず）が組み込まれている。さらに、感知器本体３２には、センサーに外部から塵等が侵入することを防止するための外部カバー３４が取り付けられている。外部カバー３４は、円筒形であり、下端には円形の底面板３３が設けられていて、側面には、底面板に一体成形されて垂直方向に底面板３３を保持する縦枠材３５と、これに接合して水平方向に補強する環状の横枠強材とが設けられている。また、この外部カバー３４の内側には防塵網３６が設けられている。
【００１８】
以下に、感知器本体３２をベース部３１から取り外す作業について説明する。まず、作業者は、感知器着脱工具１の棒体１１を握って、感知器本体３２の下方の床上に立つ。次に、支持体１２の開口部１３が、係合する感知器本体３２の底面板３３を覆うように、感知器着脱工具１を感知器本体３２の直下に配置する。この状態で、作業者が、棒体１１を垂直方向に押し上げる。直径の小さい底面板３３の場合には、図５に示す図２のＥ−Ｏ−Ｆの断面図のように、下方係合段１５の係止部２４が、弾性変形によって底面板３３を乗り越えて、底面板３３上に引っ掛けられた状態となる。また、下方係合段１５の側面の対向位置に形成されている対の圧接部２３の先端側面は、底面板３３の外周端面に接触して、底面板３３を両側から挟持した状態となる。一方、直径の大きい底面板３３の場合には、図６に示す図２のＥ−Ｏ−Ｆの断面図のように、上方係合段１４の係止部２２が、弾性変形によって、底面板３３を乗り越えて、底面板３３上に引っ掛けられた状態となる。また、上方係合段１４の側面の対向位置に突設されている対の圧接部２１の先端側面は、底面板３３の外周端面に接触して、底面板３３を両側から挟持した状態となる。このように支持部１２と感知器本体３２とが係合した状態で、作業者が棒体１１を回動させると、圧接部２１、２３の先端側面と底面板３３の外周端面との摩擦力によって、棒体１１のトルクが伝達して、感知器本体３２も空回りすることなく回動する。ここで、感知器本体３２とベース部３１との係合構造が、図７に示すような雌螺子４１と雄螺子４２との螺合であっても、図８に示すような係止金具４５の挿入孔４４への挿入であっても、感知器本体３２を感知器着脱工具１によって回動させることにより、感知器本体３２は、ベース部３１から取り外される。そして、作業者が、感知器本体３２を手で把持しておいて、作業者が棒体１１を引っ張ることにより、支持部１２と感知器本体３２との係合が外れる。
【００１９】
逆に、感知器本体３２をベース部３１に取り付ける作業は、以下のようになる。あらかじめ、感知器本体３２を支持体１２を径に合う係合段に嵌入させた状態で、作業者は棒体１１を握って、感知器本体３２を天井５に取り付けたベース部３１の直下に配置させる。ここで、感知器本体３２とベース部３１との係合構造が、図７に示すようなものであれば、両螺子を螺合させるように、感知器本体３２を感知器着脱工具１によって回動させる。また、図８に示すようなものであれば、係止金具４５を挿入孔４４に挿入した後に感知器本体３２を回動させる。このようにして、前述した方向と逆方向に回動させることで、感知器本体３２がベース部３１に取り付けられる。そして、作業者が棒体１１を引っ張ることにより、感知器着脱工具１は感知器本体３２から開放される。
【００２０】
ここで、支持部１２の開口部１３の内周面には、上方係合段１４と下方係合段１５の２段の直径の異なる係合段が設けられて、外径の異なる別々の感知器本体が嵌入する構造になっている。このために、１個の感知器着脱工具１によって、外径の異なる２種類の感知器の着脱が可能となっている。
【００２１】
また、各々の分割周辺部１７ａ〜ｈの圧接部２１、２３の先端側面は、底面板３３の外周端面に外接する形状であり、上側外縁部の上部は面取りがなされている。したがって、感知器着脱工具１を押し上げる時の底面板３３の外周端面と圧接部１５による接触摩擦は小さい。また、係止部２２、２４の先端側面は、底面板３３の外周端面よりも僅かに内側になるように形成されている。このため、係止部２２、２４が弾性変形によって、底面板３３を容易に乗り越えて、底面板３３上に引っ掛けられる状態となる。さらに、支持体１２の上側周辺部は、溝１６ａ〜ｈによって分割周辺部１７ａ〜ｈは分割された状態になっている。この分割周辺部１７ａ〜ｈについて各々の係合段１４、１５の側面には圧接部２１、２３または、係止部２２、２４のいずれかのみが設けられている。したがって、支持体１２と感知器本体３２とを係合させるときに、分割周辺部１７ａ〜ｈは、相互の影響をあまり受けることなく、独立して弾性変形することができる。以上の構成により、感知器着脱工具１の支持部１２と感知器本体３２とを小さな抵抗で係合させることができる。逆に、小さい抵抗で両者の係合を外すことができる。
【００２２】
また、支持部１２と感知器本体３２とが係合しているときには、圧接部２１、２３は係合段１４、１５の側面の対向位置から底面板３３を挟持している状態となっているので、支持体１２が回動したときに、両者の間に確実に摩擦力が働き、トルクが伝達される。さらに、支持体１２が回動すると、弾性体である圧接部２１、２３は、底面板３３の外周端面との摩擦力によって変形することで両者の密着性が増加し、さらに摩擦力は増大して、トルクが伝達しやすくなる。
【００２３】
さらに、支持部１２と感知器本体３２とが係合しているときには、作業者が手を離しても、係止部２２、２４が、底面板３３の上面に引っ掛かるので、感知器着脱工具１が落下することはない。特に、４個の係止部２２、２４と圧接部２１、２３とは、交互に隣接する構造となっているので、作業者が手を離した状態でのバランスが良好で落下しにくい。
【００２４】
また、上方係合段１４の側面に圧接部２１を設けた分割周辺部１７の下方係合段１５の側面には係止部２を設けて、上方係合段１４の側面に係止部２２を設けた分割周辺部１７の下方係合段１５の側面には圧接部２３を設けている。つまり、１個の分割周辺部１７にあって、上方係合段１４と下方係合段１５との両段に係止部が存在することはない。このために、支持体１２を金型により製造する場合に、金型の抜き工程が容易になり、生産性が向上する。
【００２５】
なお、各係合段の係止部と圧接部を有する分割周辺部の個数は、本実施形態のように合計で８個でなくてもよい。これらの数が少なくても、多くても、感知器着脱工具を回動することによって、トルクを伝達して感知器本体を着脱できる。また、係止部と圧接部の個数は一致していなくてもかまわない。例えば、突設する係止部の数を圧接部の数よりも多くすれば、発生する伝達トルクは小さくなるが、作業者が手を離したときのバランスが良好で落下しにくい感知器着脱工具を製造できる。また、個々の係合段において、係止部も圧接部も設けられていない分割周辺部が付設されていても、本感知器着脱工具の機能を著しく低下させることはない。さらに、３段以上の係合段を設ければ、段数に合わせた外径を有する多種類の感知器の着脱が可能となる。
【００２６】
【発明の効果】
請求項１に係る発明の感知器着脱工具は、棒体と、棒体の先端に略円柱形の開口部を有する弾性体の支持体を備え、天井にベース部を介して固着される感知器本体の下端に具備された略円形の底面板を前記開口部に嵌入して回動することにより、感知器本体を着脱する感知器着脱工具において、前記開口部の内周面に前記底面板と係合する複数の係合段を設け、前記係合段は前記開口部の嵌入方向に対して手前側に径が大きい底面板と係合する係合段を設け、各々の係合段の側面の対向位置に前記底面板の外周端面に圧接する圧接部を突設し、前記圧接部の間の前記係合段の側面に前記底面板の外周上側に引っ掛ける係止部を突設し、前記圧接部で前記底面板の外周端面を挟持することにより、前記感知器本体を着脱するものであることを特徴としているので、外径の異なる複数の感知器本体を着脱することが可能であり、感知器着脱工具の支持部と感知器本体とを小さな抵抗で係合させることができ、さらに、着脱時に作業者が手を離しても感知器着脱工具が落下しにくくなっている。
【００２７】
請求項２に係る発明の感知器着脱工具は、請求項１の構成において、前記支持体の上側周辺部に半径方向に対して溝又は切込みを設けることにより前記上側周辺部を周方向に分割して分割周辺部を形成し、前記分割周辺部の各々の係合段の側面に圧接部又は係止部を設けてなることを特徴としているので、請求項１記載の効果に加えて、前記開口部を前記感知器本体に嵌入するときに前記分割周辺部が相互の影響をあまり受けることなく、独立して弾性変形することができることになり、感知器着脱工具の支持部と感知器本体とをさらに小さな抵抗で係合させることができる。
【００２８】
請求項３に係る発明の感知器着脱工具は、請求項２の構成において、前記分割周辺部について各々の係合段の側面には圧接部又は係止部のいずれかのみを設けてなることを特徴としているので、請求項２記載の効果に加えて、前記開口部を前記感知器本体に嵌入するときに前記圧設部と係止部とが相互の影響をあまり受けることなく、独立して弾性変形することができることになり、感知器着脱工具の支持部と感知器本体とをさらに小さな抵抗で係合させることができる。
【００２９】
請求項４に係る発明の感知器着脱工具は、請求項３の構成において前記係合段が２段であって、上方係合段の側面に圧接部を設けた分割周辺部の下方係合段の側面には係止部を設けてなり、上方係合段の側面に係止部を設けた分割周辺部の下方係合段の側面には圧接部を設けてなることを特徴としているので、請求項３記載の効果に加えて、支持体を金型により製造する場合に、金型の抜き工程が容易になり、生産性が向上する。
【図面の簡単な説明】
【図１】本実施の形態の感知器着脱工具の斜視図である。
【図２】本実施の形態の感知器着脱工具の上面図である。
【図３】本実施の形態の感知器着脱工具の断面図である。
【図４】本実施の形態の感知器着脱工具の係止部の断面図である。
【図５】本実施の形態の感知器着脱工具が感知器に係合した状態を示す断面図である。
【図６】本実施の形態の他の感知器着脱工具が感知器に係合した状態を示す断面図である。
【図７】本実施の形態の感知器本体の取り付け構造用を示す斜視図である。
【図８】本実施の形態の感知器本体の取り付け構造用の金具を示す斜視図である。
【図９】従来の感知器と感知器着脱工具の側面図である。
【図１０】従来の他の感知器と感知器着脱工具の斜視図である。
【符号の説明】
１          感知器着脱工具
１１        棒体
１２        支持体
１３        開口部
１４        上方係止段
１５        下方係止段
１６ａ〜ｈ  溝
１７ａ〜ｈ  分割周辺部
２１、２３  圧接部
２２、２４  係止部
３１        ベース部
３２        感知器本体
３３        底面板
３４        外部カバー
３５        縦枠材
３６        防塵網
５          天井
【図１】
2004272389.tif 000003
【図２】
2004272389.tif 000004
【図３】
2004272389.tif 000005
【図４】
2004272389.tif 000006
【図５】
2004272389.tif 000007
【図６】
2004272389.tif 000008
【図７】
2004272389.tif 000009
【図８】
2004272389.tif 000010
【図９】
2004272389.tif 000011
【図１０】
2004272389.tif 000012